(57)【要約】      （修正有）【課題】メガネを掛ける人の鼻にフィットする鼻当てパットを着脱可能に取付けることが出来る鼻当てパットの取付け構造を提供する。【解決手段】金属板を打抜いたり切断するなどして加工した脚部１１は基部の両側に斜め下方へ延びる脚１２，１２に鼻当てパット１０，１０を取付け、そして上記基部には嵌合溝を形成し、フロント部１の中央連結部の背面側にはスリット溝を設けると共に、中央には軸ピンを嵌め、スリット溝に基部を嵌めて該基部の嵌合溝には軸ピンを嵌めて取付けている。【選択図】図２
0003175372.tif 000002
【実用新案登録請求の範囲】
【請求項１】
メガネのフロント部を鼻の両脇に当てて支える為の鼻当てパットの取付け構造において、金属板を打抜いたり切断するなどして加工した脚部は基部の両側に斜め下方へ延びる脚に鼻当てパットを取付け、そして上記基部には嵌合溝を形成し、フロント部の中央連結部の背面側にはスリット溝を水平に設けると共に、中央には軸ピンを嵌め、スリット溝に基部を嵌めて該基部の嵌合溝には軸ピンを嵌めて取付けたことを特徴とする鼻当てパットの取付け構造。
【請求項２】
上記軸ピンの中間部に小径の嵌合軸部を形成し、この嵌合軸部に基部に形成した嵌合溝を嵌めた請求項１記載の鼻当てパットの取付け構造。
【請求項３】
上記基部には嵌合溝を挟んで両側に切欠き溝を形成した請求項１、又は請求項２記載の鼻当てパットの取付け構造。
【考案の詳細な説明】
【技術分野】
【０００１】
本考案はメガネのフロント部を支えることが出来る鼻当てパットの取付け構造に関するものである。
【背景技術】
【０００２】
メガネフレームはレンズを取付けるフロント部とツルから成り、ツルはフロント部の両側に継手を介して折畳み出来るように取付けられている。図７は従来の一般的なメガネフレームを表している外観図であり、フロント部（イ）はレンズが嵌る両リム（ロ）、（ロ）を有し、該リム（ロ）、（ロ）は連結部材（ハ）によって左右対称と成るように連結されている。
【０００３】
そして、リム（ロ）、（ロ）の外側にはＬ形をしたヨロイ（ニ）、（ニ）がロウ付けされ、該ヨロイ（ニ）、（ニ）には蝶番（ホ）、（ホ）を介してツル（ヘ）、（ヘ）が折畳み出来るように取付けられている。又、フロント部（イ）の中央には鼻当てパット（ト）、（ト）が取付けられ、メガネを掛けた際にフロント部（イ）は上記鼻当てパット（ト）、（ト）が鼻の両脇に当って支えられる。
【０００４】
ところで、上記鼻当てパット（ト）、（ト）はリム（ロ）、（ロ）に基端がロウ付けされて延びる脚の先端に取付けられ、該鼻当てパット（ト）、（ト）は多少のアガキ（ガタ）を有していて、鼻の両脇にフィットするようにその向きを変えることが出来る。同図に示すように金属製メガネフレームの場合には、脚をロウ付けし、該脚を適当に湾曲して鼻当てパット（ト）、（ト）が鼻にフィットするように調整することが出来るが、樹脂製のメガネフレームであれば、鼻当てパットはフロント部に一体成形されてその位置を調整することは出来ない。
【０００５】
従って、鼻の形状は人によって異なることから、メガネを掛けた際の鼻当てパットが鼻の両脇にフィットせず、その為にメガネを掛けた際にフロント部を所定の位置に安定して支持することが出来ない場合も多い。特に、鼻の高い外国人は鼻当てパットの一部を削り取ってメガネを着用しなくてはならないといった場合が発生する。
【０００６】
特開平１０−６２７２５号に係る「メガネフレーム及びその鼻当てパット」は、位置ズレすることなく、メガネを安定して着用することが出来るようにしたものであり、メガネフレームは弾性変形に富む材料を材質とし、鼻当てパットは概略半円弧状に湾曲した板状のアーム先端に一体成形され、鼻当てパットの当接面は内側後方を向いて形成している。
【０００７】
特開２００９−２１０９５２号に係る「樹脂製メガネフレーム用のノーズパッド」は、長手方向を向かって長孔が形成されており、該長孔がほぼ上下方向を向くように樹脂製メガネフレームの鼻当て部に固定される樹脂製の台座ブロックと、前記長孔に挿入される枢支軸が外側に植設されているノーズパッド本体とからなり、前記枢支軸を前記長孔に挿入することにより、メガネフレームの鼻当て部に対するノーズパッド本体の開き角度が調整出来るようになっている。
【０００８】
【特許文献１】特開平１０−６２７２５号に係る「メガネフレーム及びその鼻当てパット」
【特許文献２】特開２００９−２１０９５２号に係る「樹脂製メガネフレーム用のノーズパッド」
【考案の開示】
【考案が解決しようとする課題】
【０００９】
このように、樹脂製のメガネフレームのフロント部に設けている鼻当てパットの取付け構造は色々存在しているが、その取付け構造は複雑であり、取外して新たな鼻当てパットと簡単に交換することは容易でない。本考案が解決しようとする課題はこの問題点であり、メガネを掛ける人の鼻にフィットする鼻当てパットを着脱可能に取付けることが出来る鼻当てパットの取付け構造を提供する。
【課題を解決するための手段】
【００１０】
本考案が対象とする鼻当てパットの取付け構造は、概略Ｕ型をした脚部の両脚に鼻当てパットが取付けられて構成している。上記概略Ｕ型脚部は金属板を打ち抜いて、又は切断して加工され、その基部には嵌合溝が形成され、上記脚は該基部から両側へ延びている。そして、樹脂製の鼻当てパットは脚に挿着され、脚部はフロント部に取付けられる。すなわち、フロント部中央の連結部背面にはスリット溝を水平に形成し、このスリット溝に上記基部が嵌り、同時に軸ピンに嵌合溝が嵌合する。
【００１１】
フロント部の中央連結部には穴が設けられ、該穴は連結部の下側からあけられ、この穴に上記軸ピンが嵌り、該軸ピンに脚部の基部に形成した嵌合溝が嵌合して取付けられる。そこで、軸ピンは上記スリット溝を貫通した穴に嵌っている。脚部は着脱自在であり、また軸ピンも取外して交換することが出来る。そして、鼻当てパットは樹脂製であるが柔らかい軟質樹脂とすることも出来る。脚は基部から両側へ延びているが、基部を中心として所定の角度で下側へ傾斜し、この角度は鼻当てパットが鼻の両脇にフィットするように自由に調整できる。
【考案の効果】
【００１２】
本考案に係る鼻当てパットは概略Ｕ型をした脚部の脚に挿着されるが、その為に該鼻当てパットはその材質、形状を自由に選択して脚に挿着することが出来る。そして、概略Ｕ型脚部は金属製である為に、基部から斜め下方へ延びる脚の屈曲角度を鼻当てパットが鼻の両脇にフィットするように調整することが出来る。そして、鼻当てパットが挿着される脚部の中央基部には嵌合溝が形成され、この嵌合溝にフロント部中央の連結部に設けている軸ピンに嵌ることで簡単に取付けることが出来る。しかも、脚部は取り外されて交換することが可能である。
【００１３】
そこで、色々な形状の鼻にフィットする鼻当てパットを選択して取付けることが出来る。また、鼻当てパットが汚れた場合にも自分で新たなものと簡単に交換することが可能である。鼻当てパットはフロント部のスリット溝に基部を嵌合すると共に、軸ピンに嵌合溝を嵌めて取付けることが出来る構造であり、着脱可能な取付け構造であると共に安定した取付けが行われる。しかも、従来のように脚をロウ付けして取付ける構造に比較して簡単であり、取付け工数は小さくなる。
【図面の簡単な説明】
【００１４】
【図１】本考案に係る鼻当てパットの取付け構造を備えたメガネフレームの正面図。
【図２】本考案に係る鼻当てパットの取付け構造を備えたメガネフレームの平面図。
【図３】本考案に係る鼻当てパットの取付け構造を備えたメガネフレームの側面図。
【図４】打抜いて製作した脚部の両脚に鼻当てパットを取付けた場合。
【図５】基部を中心として両脚を屈曲して斜め下方へ延ばした概略Ｕ型の脚部。
【図６】軸ピンに基部の嵌合溝が嵌っている場合。
【図７】従来の一般的なメガネフレーム。
【考案を実施するための形態】
【００１５】
図１、図２、図３は本考案に係る鼻当てパットの取付け構造を備えたメガネフレームを示す実施例である。同図の１はフロント部、２はツルを表し、ツル２，２はフロント部１の両側に継手３，３を介して折畳み出来るように取付けられている。ところで、同図に示すメガネフレームのフロント部１はレンズが嵌るリム部４，４が連結部５にて繋がれ、フロント部１の両側にはヨロイ６，６が取付けられている。
【００１６】
ヨロイ６は図３に示しているように、縦片９から水平に延びる上片７と下片８を有し、この上片７と下片８の間に上記継手３が挟まれ、上片７と下片８とに跨って設けた軸（図示なし）に軸支されている。継手３は樹脂製ツルの芯部に挿着されている芯金から延び、板材を先端で折り返した形状とし、その途中には上記軸を挟む軸受け部を湾曲して形成している。従って、ツル２はヨロイ６に設けた軸を中心として旋回することで折畳まれ、また、図２の開いた状態で停止するように、継手先端が当接するストッパーが該ヨロイ６に取着されている。ここで、同図に示すツルの継手構造はあくまでも一具体例に過ぎず、一般的な蝶番継手とすることもある。
【００１７】
ところで、フロント部１の背面側には鼻当てパット１０，１０が対を成して取付けられ、この鼻当てパット１０，１０はフロント部１の中央に取着した脚部１１に設けた脚１２，１２に挿着されている。図４は脚部１２の両脚１２，１２に鼻当てパット１０，１０が挿着されている場合であるが、この脚部１１は金属板を打抜いたり、又はワイヤーカットにて切断して加工される。ただし、本考案では脚部１１の加工方法を限定するものではない。
【００１８】
金属板を打抜いたり、ワイヤーカットにて加工した脚部１１は平坦であるが、鼻当てパット１０，１０を挿着した両脚１２，１２は基部１３を中心として屈曲し、図５に示すように斜め下方両側へ延びて概略Ｕ型をしている。ここで、鼻当てパット１０には穴が設けられ、この穴に脚１２が挿着して取付けられる。そして基部１３には嵌合溝１４を設け、該嵌合溝１４の両側には切欠き溝１５，１５が形成されて、軸ピン１６に嵌合し易く成っている。すなわち、切欠き溝１５，１５を形成することで、嵌合溝１４は僅かに開口して軸ピン１６が嵌り易くなる。
【００１９】
図５は鼻当てパット１０，１０を挿着した両脚１２，１２が屈曲し、軸ピン１６に嵌合する場合である。ところで、軸ピン１６は図１に示すようにフロント部１の連結部５に設けられ、すなわち、連結部５の下側から加工した穴に嵌着して取付けられている。そして、連結部５の背面にはスリット溝１７が設けられ、このスリット溝１７に基部１３が挿入されると同時に軸ピン１６に嵌合溝１４が嵌る。そこで、軸ピン１６はスリット溝１７を貫通するように取付けられている。
【００２０】
ところで、軸ピン１６は図６に示しているように、中間部の外径を細くした段付き形状とし、この嵌合軸部１８に嵌合溝１４が嵌合する。穴に嵌った軸ピン１６の嵌合軸部１８は上記スリット溝１７の位置に配置され、該スリット溝１７に基部１３が嵌ることで、基部１３に形成している嵌合溝１４は嵌合軸部１８と嵌合することが出来る。
【００２１】
嵌合溝１４の溝幅は嵌合軸部１８に対して僅かに小さく、その為に嵌合軸部１８が嵌合溝１４に嵌ることで基部１３にはバネ力が付勢され、脚部１１はガタ付くことなく安定した取付け構造と成る。勿論、軸ピン１６はフロント部１の連結部５に設けた穴にガタ付くことなく嵌合している。連結部５に形成したスリット溝１７に基部１３を直接嵌合することも可能であるが、本考案では基部１３をスリット溝１７に嵌める共に嵌合軸部１８に嵌合溝１４を嵌合した構造とすることで、鼻当てパット１０，１０はより安定する。
【符号の説明】
【００２２】
１  フロント部
２  ツル
３  継手
４  リム部
５  連結部
６  ヨロイ
７  上片
８  下片
９  縦片
10  鼻当てパット
11  脚部
12  脚
13  基部
14  嵌合溝
15  切欠き溝
16  軸ピン
17  スリット溝
18  嵌合軸部
【図１】
0003175372.tif 000003
【図２】
0003175372.tif 000004
【図３】
0003175372.tif 000005
【図４】
0003175372.tif 000006
【図５】
0003175372.tif 000007
【図６】
0003175372.tif 000008
【図７】
0003175372.tif 000009